【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
第１のモバイル装置において、第１のモバイル装置のユーザのバディに関連付けられた第２のモバイル装置が前記第１のモバイル装置の位置を検出しようとしているという通知を受信することと、
前記通知に応答して、前記第２のモバイル装置による前記第１のモバイル装置の所望の可視性を指定する可視性指示を受信することと、
前記第１のモバイル装置及び前記第２のモバイル装置と通信するサーバに前記可視性指示を提供することと、
を含む方法。
【請求項２】
前記可視性指示は、前記第２のモバイル装置が前記第１のモバイル装置の前記位置を受信することを妨げることによって、前記第１のモバイル装置のプライバシーを制御する、請求項１に記載の方法。
【請求項３】
前記可視性指示は、前記第２のモバイル装置が、前記第１のモバイル装置の前記ユーザの識別を受信することを妨げる、請求項１に記載の方法。
【請求項４】
前記可視性指示は、前記第２のモバイル装置が前記第１のモバイル装置の前記位置を受信できるようになる時間を特定する、請求項１に記載の方法。
【請求項５】
前記時間は、前記第２のモバイル装置に特有である、請求項４に記載の方法。
【請求項６】
前記第１のモバイル装置において、距離指示を受信することをさらに含み、
前記距離指示は、前記第１のモバイル装置が前記通知を受け取る閾距離を含み、前記閾距離は、前記第１のモバイル装置と前記第２のモバイル装置との間の距離を有する、請求項１に記載の方法。
【請求項７】
前記距離指示を前記サーバに提供することをさらに含む、請求項６に記載の方法。
【請求項８】
１つ以上の以前に受信した可視性指示に基づき自動可視性指示を実施することをさらに含む、請求項１に記載の方法。
【請求項９】
前記通知は、前記第２のモバイル装置の地図画面において実行されるズーム操作又はパン操作に基づきトリガされる、請求項１に記載の方法。
【請求項１０】
プロセッサと、
前記プロセッサと動作可能に結合され、前記装置のユーザのバディに関連付けられたモバイル装置が前記装置の位置を検出しようとしているという通知を、受信するよう構成された受信機と、
前記プロセッサと動作可能に結合され、前記通知に応答して、前記モバイル装置による前記装置の所望の可視性を指定する可視性指示を受信するよう構成されたインターフェースと、
前記プロセッサと動作可能に結合され、前記可視性指示を前記装置及び前記モバイル装置と通信するサーバに提供するよう構成された送信機と、
を備える、装置。
【請求項１１】
前記可視性指示は、前記モバイル装置が前記装置の前記位置を受信することを妨げることによって、前記装置のプライバシーを制御する、請求項１０に記載の装置。
【請求項１２】
前記インターフェースが距離指示を受信するようさらに構成され、前記距離指示は、前記装置が前記通知を受け取る閾距離を含み、前記閾距離は、前記装置と前記モバイル装置との間の距離を備える、請求項１０に記載の装置。
【請求項１３】
前記送信機は、前記距離指示を前記サーバに提供するようさらに構成される、請求項１２に記載の装置。
【請求項１４】
前記プロセッサは、１つ以上の以前に受信した可視性指示に基づき自動可視性指示を実施するよう構成される、請求項１０に記載の装置。
【請求項１５】
サーバにおいて、前記第１のモバイル装置のユーザのバディと関連付けられた第２のモバイル装置が第１のモバイル装置の位置を検出しようとしていることを判定することと、
前記第２のモバイル装置が前記第１のモバイル装置の前記位置を検出しようとしているという通知を前記第１のモバイル装置に提供することと、
前記通知に応答して、前記第２のモバイル装置による前記第１のモバイル装置の所望の可視性を指定する可視性指示を前記第１の装置から受信するステップと、
前記可視性指示に基づき、前記第２の装置による前記第１の装置の可視性を制御することと、
を含む方法。
【請求項１６】
前記可視性指示は、前記第２のモバイル装置が、前記第１のモバイル装置の前記ユーザの識別を受信することを妨げる、請求項１５に記載の方法。
【請求項１７】
前記可視性指示は、前記第２のモバイル装置が前記第１のモバイル装置の前記位置を受信できるようになる時間を特定する、請求項１５に記載の方法。
【請求項１８】
前記時間は、前記第２のモバイル装置に特有である、請求項１７に記載の方法。
【請求項１９】
前記第１のモバイル装置から距離指示を受信することをさらに含み、
前記距離指示は、前記第１のモバイル装置が前記通知を受け取る閾距離を含み、前記閾距離は、前記第１のモバイル装置と前記第２のモバイル装置との間の距離を有する、請求項１５に記載の方法。
【請求項２０】
前記通知は、前記第２のモバイル装置の地図画面において実行されるズーム操作又はパン操作に基づきトリガされる、請求項１５に記載の方法。
【請求項２１】
前記第２のモバイル装置が前記第１のモバイル装置の前記位置を検出しようとしていることの判定は、前記第２のモバイル装置の位置、前記第２のモバイル装置の方角、および、前記第２のモバイル装置の速度に基づく、請求項１５に記載の方法。
【請求項２２】
第１のモバイル装置のユーザのバディと関連付けられた第２のモバイル装置が前記第１のモバイル装置の位置を検出しようとしていることを判定するよう構成されたプロセッサと、
前記プロセッサと動作可能に結合され、前記第２のモバイル装置が前記第１のモバイル装置の前記位置を検出しようとしているという通知を、前記第１のモバイル装置に提供するよう構成された発信機と、
前記プロセッサと動作可能に結合され、前記通知に応答して、前記第２のモバイル装置による前記第１のモバイル装置の所望の可視性を指定する可視性指示を前記第１の装置から受信するよう構成された受信機と、
を備える装置であって、
前記プロセッサは、前記可視性指示に基づき前記第２の装置による前記第１の装置の可視性を制御するようさらに構成される、装置。
【請求項２３】
前記受信機は、前記第２のモバイル装置の地図画面において実行されるズーム操作又はパン操作の表示を受信するようさらに構成される、請求項２２に記載の装置。
【請求項２４】
前記通知は、前記第２のモバイル装置の前記地図画面において実行される前記ズーム操作又は前記パン操作に基づきトリガされる、請求項２３に記載の装置。
【請求項２５】
前記受信機は、前記第１のモバイル装置から距離指示を受信するようさらに構成され、前記距離指示は、前第１のモバイル装置が前記通知を受け取る閾距離を含み、前記閾距離は、前記第１のモバイル装置と前記第２のモバイル装置との間の距離を有する、請求項２２に記載の装置。
【請求項２６】
命令が記憶された非一時的なコンピュータ可読媒体であって、前記命令が、
第１のモバイル装置において、第１のモバイル装置のユーザのバディに関連付けられた第２のモバイル装置が前記第１のモバイル装置の位置を検出しようとしているという通知を受信する命令と、
前記通知に応答して、前記第２のモバイル装置による前記第１のモバイル装置の所望の可視性を指定する可視性指示を受信する命令と、
前記第１のモバイル装置及び前記第２のモバイル装置と通信するサーバに前記可視性指示を提供する命令と、
を含む、非一時的なコンピュータ可読媒体。
【請求項２７】
前記可視性指示は、前記第２のモバイル装置が前記第１のモバイル装置の前記位置を受信することを妨げることによって、前記第１のモバイル装置のプライバシーを制御する、請求項２６に記載の非一時的なコンピュータ可読媒体。
【請求項２８】
前記可視性指示は、前記第２のモバイル装置が、前記第１のモバイル装置の前記ユーザの識別を受信することを妨げる、請求項２６に記載の非一時的なコンピュータ可読媒体。
【請求項２９】
前記第１のモバイル装置において、距離指示を受信する命令をさらに含み、
前記距離指示は、前記第１のモバイル装置が前記通知を受け取る閾距離を含み、前記閾距離は、前記第１のモバイル装置と前記第２のモバイル装置との間の距離を有する、請求項２６に記載の非一時的なコンピュータ可読媒体。
【請求項３０】
前記通知は、前記第２のモバイル装置の地図画面において実行されるズーム操作又はパン操作に基づきトリガされる、請求項２６に記載の非一時的なコンピュータ可読媒体。